(57)【特許請求の範囲】
【請求項１】
タイマ予約情報信号を記憶するタイマ予約情報記憶手段と、
記録再生装置に対するタイマ予約情報信号及び上記タイマ予約情報記憶手段に記憶されたタイマ予約情報信号によるタイマ予約の実行を容認するか禁止するかを示す制御信号を、ディスクの所定領域に記録するタイマ予約情報記録手段と、
上記ディスクの所定領域に記録された上記タイマ予約情報信号及び上記制御信号を再生するタイマ予約情報再生手段と、
上記タイマ予約情報記憶手段から読出されたタイマ予約情報信号並びに上記タイマ予約情報再生手段によって再生された上記タイマ予約情報信号及び上記制御信号に基づいて、タイマ予約を実行するタイマ予約実行手段と、
毎日又は毎週同じ番組をディスクに記録するか否かを判断する第１の判断手段と、
該第１の判断手段によって、毎日又は毎週同じ番組をディスクに記録すると判断されたときに、上記ディスクに番組を記録する領域が残っているか否かを判断する第２の判断手段と、
該第２の判断手段によって、上記ディスクに番組を記録する領域が残っていないと判断されたときに、前に記録した番組を消去して良いか否かをユーザに知らせる第１の報知手段と、
ユーザの判断に基づいて、前に記録した番組を消去して良いか否かを判断する第３の判断手段と、
該第３の判断手段によって、前に記録した番組を消去して良いと判断されたときに、前に記録した番組を消去する消去手段とを有する
ことを特徴とする記録再生装置。
【請求項２】
請求項１記載の記録再生装置において、
さらに、上記第３の判断手段によって、前に記録した番組を消去しないと判断されたときに、上記ディスクの所定領域に記録されているタイマ予約情報信号及び制御信号を、上記タイマ予約情報再生手段によって再生して、上記タイマ予約情報記憶手段に記憶する記憶制御手段を有する
ことを特徴とする記録再生装置。
【請求項３】
請求項１記載の記録再生装置において、
さらに、上記ディスクの所定領域に記録されているタイマ予約情報信号及び制御信号を、上記タイマ予約情報再生手段によって再生して、上記タイマ予約情報記憶手段に記憶した後に、上記ディスクを排出させるディスク排出制御手段を有する
ことを特徴とする記録再生装置。
【請求項４】
請求項３記載の記録再生装置において、
さらに、新たなディスクを装填して、上記タイマ予約情報記憶手段に記憶されている上記古いディスクのタイマ予約情報信号及び制御信号を上記新たなディスクの所定領域に記録することをユーザに知らせる第２の報知手段を有する
ことを特徴とする記録再生装置。
【請求項５】
請求項３記載の記録再生装置において、
さらに、上記新たなディスクを装填して、上記タイマ予約情報記憶手段に記憶されている上記古いディスクのタイマ予約情報信号及び制御信号を上記新たなディスクの所定領域に記録したか否を判断する第４の判断手段を有する
ことを特徴とするディスク記録再生装置。
【請求項６】
請求項５記載の記録再生装置において、
さらに、上記第２の判断手段によって、上記古いディスクに番組を記録する領域が残っていると判断されたときは、情報信号を上記古いディスクに記録し、上記第４の判断手段によって、上記新たなディスクを装填して、上記タイマ予約情報記憶手段に記憶されている上記古いディスクのタイマ予約情報信号及び制御信号を上記新たなディスクの所定領域に記録されたと判断されたときは、上記新たなディスクに情報信号を記録するようにしたことを特徴とする記録再生装置。
【請求項７】
タイマ予約情報信号を記憶するタイマ予約情報記憶手段と、
記録再生装置に対するタイマ予約情報信号及び上記タイマ予約情報記憶手段に記憶されたタイマ予約情報信号によるタイマ予約の実行を容認するか禁止するかを示す制御信号を、ディスクの所定領域に記録するタイマ予約情報記録手段と、
上記ディスクの所定領域に記録された上記タイマ予約情報信号及び上記制御信号を再生するタイマ予約情報再生手段と、
上記タイマ予約情報記憶手段から読出されたタイマ予約情報信号並びに上記タイマ予約情報再生手段によって再生された上記タイマ予約情報信号及び上記制御信号に基づいて、タイマ予約を実行するタイマ予約実行手段と、
毎日又は毎週同じ番組をディスクに記録するか否かを判断する第１の判断手段と、
該第１の判断手段によって、毎日又は毎週同じ番組をディスクに記録すると判断されたときに、上記ディスクに番組を記録する領域が残っているか否かを判断する第２の判断手段と、
該第２の判断手段によって、上記ディスクに番組を記録する領域が残っていないと判断されたときに、前に記録した番組を消去して良いか否かをユーザに知らせる第１の報知手段と、
ユーザの判断に基づいて、前に記録した番組を消去して良いか否かを判断する第３の判断手段と、
該第３の判断手段によって、前に記録した番組を消去して良いと判断されたときに、前に記録した番組を消去する消去手段とを有する
ことを特徴とする記録再生装置のタイマ予約装置。
【発明の詳細な説明】
【０００１】
【発明の属する技術分野】
本発明は、記録再生装置及びそのタイマ予約装置に関する。
【０００２】
【従来の技術】
特開平６−２０３８２号公報（出願人：ソニー株式会社）には、光ディスク装置に対する記録予約及び再生予約のタイマ予約情報を光ディスクに記録し、この光ディスクに記録されているタイマ予約情報を読出して、光ディスク装置に対する記録予約及び再生予約のタイマ予約を実行するようにした光ディスク装置が記載されている。
【０００３】
かかる光ディスク装置によれば、光ディスクを単位としてタイマ予約を行うことができ、タイマ予約情報を多数記録することができ、タイマ予約情報の確認が容易となり、停電によるタイマ予約情報信号の再記録が不要となり、光ディスクにタイマ予約によって記録する情報信号を光ディスク毎に整理することができ、光ディスク装置が複数存在しても、タイマ予約による情報信号の記録は、光ディスク側で主導権をとることができ、これによって、光ディスクに記録された大事な情報信号を他の情報信号の重ね記録によって消去するおそれがない等の利点がある。
【０００４】
【発明が解決しようとする課題】
さて、ディスクに、ディスク記録再生装置に対するタイマ予約情報信号を記録する場合には、ディスクに記録されたタイマ予約情報信号のタイマ予約情報と、ディスク記録再生自体に登録されたタイマ予約情報信号のタイマ予約情報との間の関係が問題となる。一例を挙げれば、両タイマ予約情報信号の各タイマ予約情報が時間的に重複した場合には、これらを調整する必要がある。
【０００５】
かかる点に鑑み、本発明は、ディスク記録再生装置側に登録されたタイマ予約情報信号のタイマ予約情報と、ディスク側に記録されたタイマ予約情報信号のタイマ予約情報との間の関係を、ディスク側に記録されたタイマ予約情報信号のタイマ予約情報に主導権を持たせて、調整することのできる記録再生装置及びそのタイマ予約装置を提案しようとするものである。
【０００７】
本発明は、タイマ予約情報信号を記憶するタイマ予約情報記憶手段と、ディスク記録再生装置に対するタイマ予約情報信号及びタイマ予約情報記憶手段に記憶されたタイマ予約情報信号によるタイマ予約の実行を容認するか禁止するかを示す制御信号を、ディスクの所定領域に記録するタイマ予約情報記録手段と、ディスクの所定領域に記録されたタイマ予約情報信号及び制御信号を再生するタイマ予約情報再生手段と、タイマ予約情報記憶手段から読出されたタイマ予約情報信号並びにタイマ予約情報再生手段によって再生されたタイマ予約情報信号及び制御信号に基づいて、タイマ予約を実行するタイマ予約実行手段とを有するものである。さらに、毎日又は毎週同じ番組をディスクに記録するか否かを判断する第１の判断手段と、第１の判断手段によって、毎日又は毎週同じ番組をディスクに記録すると判断されたときに、ディスクに番組を記録する領域が残っているか否かを判断する第２の判断手段と、第２の判断手段によって、ディスクに番組を記録する領域が残っていないと判断されたときに、前に記録した番組を消去して良いか否かをユーザに知らせる第１の報知手段と、ユーザの判断に基づいて、前に記録した番組を消去して良いか否かを判断する第３の判断手段と、第３の判断手段によって、前に記録した番組を消去して良いと判断されたときに、前に記録した番組を消去する消去手段とを有するものである。
【０００８】
かかる本発明によれば、ディスク記録再生装置に対するタイマ予約情報信号及びタイマ予約情報記憶手段に記憶されたタイマ予約情報信号によるタイマ予約の実行を容認するか禁止するかを示す制御信号を、タイマ予約情報記録手段によって、ディスクの所定領域に記録し、そのディスクのディスクの所定領域に記録されたタイマ予約情報信号及び制御信号を、タイマ予約情報再生手段によって再生し、タイマ予約情報信号を記憶するタイマ予約情報記憶手段から読出されたタイマ予約情報信号並びにタイマ予約情報再生手段によって再生されたタイマ予約情報信号及び制御信号に基づいて、タイマ予約実行手段によって、タイマ予約を実行する。
【００１５】
【発明の実施の形態】
以下に、図３を参照して、本発明の実施の形態の具体例のディスク記録再生装置の一例を説明する。１は光ディスクとしてのミニディスクで、音声信号（ＰＣＭ音声信号）の記録される情報記録領域と、その情報記録領域に記録される情報信号の情報内容を示す目次信号（ＴＯＣ信号）が記録される目次記録領域（ＴＯＣ記録領域）を有し、その目次記録領域（ＴＯＣ記録領域）は、例えば、その最内周側に設けられている。ミニディスクとしての光ディスク１は、記録及び再生の可能な光ディスク（光磁気ディスク）の場合と、再生のみ可能な光ディスクの場合とがあるが、ここでは記録再生の可能な光ディスク（光磁気ディスク）を使用するが、ここでは単に光ディスクと称する。記録及び再生の可能な光ディスクの場合の目次記録領域（ＴＯＣ記録領域）は、書込み可能な領域と書込み不可能な領域との両方を備えているが、ここでは、書込み可能な目次記録領域（ＴＯＣ記録領域）を考慮する。この書き込み可能な目次領域の一部にはユーザズデータ記録領域が設けられ、そのユーザズデータ記録領域にタイマ予約情報信号を記録し、消去し、修正記録し、又、それを再生し得るようになされている。
【００１６】
ここでは、ミニディスクとしての光ディスク１の情報記録領域に、音声信号（ＰＣＭ音声信号）を記録する場合であるが、ＤＶＤ（デジタルビデオディスク）を使用する場合は、その情報記録領域に、デジタル化され、圧縮符号化された映像信号を記録することができる。
【００１７】
光ディスク１は、スピンドル２を介して、スピンドルモータ３によって、回転駆動せしめられる。４は光学ヘッド、６は磁気ヘッドである。記録時には、光ディスク１の光学ヘッド４よりの集束レーザビームによってキューリー温度以上に加熱された部分に、磁気ヘッド６によって、情報信号及び目次信号（ＴＯＣ信号）の“１”、“０”に応じた極性の磁界を与えるようにして、情報信号及びＴＯＣ信号を、光ディスク１のそれぞれ情報記録領域及び書込み可能な目次記録領域（ＴＯＣ記録領域）に記録する。再生時には、光学ヘッド４によって、光ディスク１に集束レーザビームを照射し、その反射レーザビームを受光することによって、光ディスク１のそれぞれ情報記録領域及びＴＯＣ記録領域に記録されている情報信号及びＴＯＣ信号を再生する。
【００１８】
９は送りモータで、この送りモータ９によって、光学ヘッド４が光ディスク１の半径に沿って移動せしめられる。
【００１９】
１０はサーボ回路で、スピンドルモータ３の回転にサーボを掛け、光学ヘッド４にフォーカスサーボ及びトラッキングサーボを掛け、送りモータ９の送りにサーボを掛ける。サーボ回路１０は、システムコントローラ（マイクロコンピュータを備える）１４によって制御される。システムコントローラ１４には、表示器１５及びキーボード１６が接続されている。
【００２０】
１１はＥＦＭ（Eight to Fourteen Modulation: ８−１４変調）／ＣＩＲＣ（Cross Interleave Read-Solomn code:クロスインターリーブリードソロモンコード）エンコーダ／デコーダ（回路）である。記録時は、この回路１１からのレーザダイオード駆動信号を高周波増幅器５を通じて、光学ヘッド４のレーザダイオードに供給すると共に、回路１１からのクロスインターリーブされ、ＥＦＭ変調されたデジタル音声信号（音楽信号）をヘッド駆動回路７を通じて、磁気ヘッド６に供給する。再生時は、光学ヘッド４からの再生高周波信号が、高周波増幅器５を通じて、回路１１、アドレスデコーダ８及びサーボ回路１０に供給される。回路１１では、再生高周波信号をデクロスインターリーブし、ＥＦＭ復調する。又、アドレスデコーダ８からのアドレス信号は回路１１に供給される。回路１１からのＴＯＣ信号、アドレス信号、同期信号、サブコード信号等はシステムコントローラ１４に供給される。回路１１は、システムコントローラ１４によって制御される。
【００２１】
１３は、外部のショックによって、情報信号の再生が短時間行われなかったとき、情報信号の再生を補償するショックプルーフメモリとのしてのＲＡＭで、ショックプルーフメモリコントローラ１２によって制御される。又、このコントローラ１２は、システムコントローラ１４によって制御される。
【００２２】
１７は音声圧縮ＡＴＲＡＣ（Adaptive Transform Acoustic Coding: 適応変換音響符号化) エンコーダ／デコーダで、入力端子２０からの音声信号（音楽信号）をＡ／Ｄ変換器２１にて変換して得たデジタル音声信号をＡＴＲＡＣ符号化して、コントローラ１２を通じて、エンコーダ／デコーダ１１に供給すると共に、コントローラ１２を通じて、エンコーダ／デコーダ１１からのＣＩＲＣデインターリーブされ、ＥＦＭ復調されたデジタル音声信号を、伸長ＡＴＲＡＣ復調してＤ／Ａ変換器１８に供給する。Ｄ／Ａ変換器１８からはアナログ音声信号が得られて出力端子１９に得られる。
【００２３】
出力端子１９から再生音声信号は、図示を省略するも、低周波増幅器を介して、スピーカ等に供給される。又、入力端子２０には、図示を省略するも、低周波増幅器を介して、ラジオチューナが接続され、ラジオチューナからのラジオ音声信号が供給される。そして、システムコントローラ１４からの制御信号が、そのラジオチューナに供給されて、タイマ予約情報信号に基づく選局が行われる。ＤＶＤ記録再生装置の場合は、テレビチューナよりの映像信号（音声信号も含む）が映像増幅器を通じて、Ａ／Ｄ変換器に供給される。そして、システムコントローラからの制御信号が、そのテレビチューナに供給されて、タイマ予約情報信号に基づく選局が行われる。
【００２４】
次に、図１のフローチャートを参照して、本発明の実施の形態の具体例の光ディスク記録再生装置のシステムコントローラ１８の機能及び動作の一例を説明する。先ず、ステップＳＴ−１では、システムコントローラ１４が、光ディスク１のユーザズデータ記録領域からの光学ヘッド４よりの再生出力に基づいて、光ディスク１に、タイマ予約が登録されているか否か、即ち、タイマ予約情報信号及びタイマ予約情報記憶手段に記憶されたタイマ予約情報信号によるタイマ予約の実行を容認するか禁止するかを示す制御信号とが、光ディスク１のユーザズデータ記録領域に記録されているか否かを判断する。ステップＳＴ−１の判断で、ＹＥＳのときはステップＳＴ−２に移行し、ＮＯときはステップＳＴ−１１に移行する。
【００２５】
ステップＳＴ−２では、システムコントローラ１４が、光ディスク１のユーザズデータ記録領域からの光学ヘッド４よりの再生出力に基づいて、制御信号が排他的予約を示す信号であるか否（通常予約示す信号）かを判断し、ＹＥＳ、即ち、排他的予約であるときは、ステップＳＴ−１２に移行し、ＮＯ、即ち、通常予約のときはステップＳＴ−３に移行する。
【００２６】
ステップＳＴ−３では、光ディスク１及び光ディスク記録再生装置に登録されているタイマ予約に従って、即ち、光ディスク１のユーザズデータ記録領域から、光学ヘッド４によって再生された予約情報信号のタイマ予約情報及びシステムコントローラ１４のメモリ（ＲＡＭ）から読出されたタイマ予約情報信号のタイマ予約情報を従って、システムコントローラ１４がタイマ予約を実行する。このタイマ予約の実行は、具体的には、タイマ予約情報に基づく、指定された受信周波数（映像信号の場合にはチャンネル番号）及び番組名の放送を、それぞれ指定された開始時刻から終了時刻まで、光ディスク１に記録することや、光ディスク１に記録されている指定された曲名の音楽信号等の音声信号を、それぞれ指定された開始時刻から終了時刻まで、光ディスク１から再生することである。ステップＳＴ−３の次は、ステップＳＴ−４に移行する。
【００２７】
ステップＳＴ−４では、システムコントローラ１４が、光ディスク１及び光ディスク記録再生装置に登録されているタイマ予約情報信号、即ち、光ディスク１のユーザズデータ記録領域に記録されているタイマ予約情報信号及び光ディスク記録再生装置のシステムコントローラ１４のメモリ（ＲＡＭ）に記憶されているタイマ予約情報信号の各タイマ予約情報が時間的に重複しているか否かを判断し、ＹＥＳのときはステップＳＴ−５に移行し、ＮＯのときはステップＳＴ−１２に移行する。
【００２８】
ステップＳＴ−５では、光ディスク１に登録されている予約に従って、即ち、光ディスク１のユーザズデータ記録領域から、光学ヘッド４によって再生されたタイマ予約情報信号のタイマ予約情報に基づいて、システムコントローラ１４がタイマ予約を実行する。ステップＳＴ−５の次は、ステップＳＴ−６に移行する。
【００２９】
ステップＳＴ−６では、システムコントローラ１４が、記録予約及び再生予約が時間的に重複したか否かを判断し、ＹＥＳのときはステップＳＴ−７に移行し、ＮＯのときはステップＳＴ−１４に移行する。
【００３０】
ステップＳＴ−７では、システムコントローラ１４が、記録予約を優先して実行する。ステップＳＴ−７の次は、ステップＳＴ−８に移行する。
【００３１】
ステップＳＴ−８では、システムコントローラ１４が、記録予約が時間的に重複したか否かを判断し、ＹＥＳのときはステップＳＴ−９に移行し、ＮＯのときはステップＳＴ−１５に移行する。
【００３２】
ステップＳＴ−９では、システムコントローラ１４が、例えば、表示器１５によって、キーボード１６によるタイマ予約情報信号の入力に基づくタイマ予約情報と、既に、光ディスク１のユーザズデータ記録領域に記録されているタイマ予約情報信号のタイマ予約情報との間の優先順位を、ユーザに問い合わせる。ステップＳＴ−９の次は、ステップＳＴ−１０に移行する。
【００３３】
ステップＳＴ−１０では、ユーザがキーボード１６によるタイマ予約情報信号の入力に基づくタイマ予約情報と、既に、光ディスク１のユーザズデータ記録領域に記録されているタイマ予約情報信号のタイマ予約情報との間の優先順位を決定する。即ち、ユーザのキーボード１６によって入力されたタイマ予約情報信号を生かし、これを光ディスク１のユーザズデータ記録領域に記録し、既に、光ディスク１のユーザズデータ記録領域に記録されているタイマ予約情報信号を消去するか、既に、光ディスク１のユーザズデータ記録領域に記録されているタイマ予約情報信号を生かし、ユーザのキーボード１６により入力されたタイマ予約情報信号を消去する。かかる操作は、ユーザがキーボード１６を操作することによって行う。
【００３４】
ステップＳＴ−１０の次は、直接ステップＳＴ−１に戻るか、又は、他のステップを経てステップＳＴ−１に戻るものとする。
【００３５】
ステップＳＴ−１の判断でＮＯのとき、即ち、光ディスク１にタイマ予約が登録されていないとき、即ち、光ディスク１のユーザズデータ記録領域にタイマ予約情報信号が記録されていなときは、光ディスク記録再生装置のシステムコントローラ１４のメモリ（ＲＡＭ）に記憶されているタイマ予約情報信号に従って、システムコントローラ１４がタイマ予約を実行する。ステップＳＴ−１１の後は、ステップＳＴ−６、７、８、９、１０、１４及び１５と同様の処理等が行われた後、ステップＳＴ−１に戻る。
【００３６】
ステップＳＴ−２の判断でＹＥＳのとき、即ち、光ディスク１のユーザズデータ記録領域から、光学ヘッド４によって、タイマ予約情報信号と共に再生された制御信号が、排他的予約を示す信号であるときは、ステップＳＴ−１２に移行して、光ディスク１のユーザズデータ記録領域に記録されているタイマ予約情報信号のタイマ予約情報に従って、システムコントローラ１４がタイマ予約を実行する。ステップＳＴ−１２の後は、ステップＳＴ−６、７、８、９、１０、１４及び１５と同様の処理等が行われた後、ステップＳＴ−１に戻る。
【００３７】
ステップＳＴ−４の判断でＮＯ、即ち、光ディスク１及び光ディスク記録再生装置に登録されているタイマ予約情報信号のタイマ予約情報が時間的に重複しないときは、ステップＳＴ−１３に移行して、光ディスク１及び光ディスク記録再生装置に登録されているタイマ予約情報信号のタイマ予約情報に従って、システムコントローラ１４がタイマ予約を実行する。ステップＳＴ−１３の次は、直接ステップＳＴ−１に戻るか、又は、他のステップを経てステップＳＴ−１に戻るものとする。
【００３８】
ステップＳＴ−６の判断でＮＯ、即ち、記録予約及び再生予約が重複していないときは、ステップＳＴ−１４に移行して、システムコントローラ１４によって、記録予約及び再生予約を実行する。ステップＳＴ−１４の次は、直接ステップＳＴ−１に戻るか、又は、他のステップを経てステップＳＴ−１に戻るものとする。
【００３９】
ステップＳＴ−８の判断でＮＯ、即ち、記録予約が重複していないときは、ステップＳＴ−１５に移行して、システムコントローラ１４がそれぞれの記録予約を実行する。ステップＳＴ−１５の次は、直接ステップＳＴ−１に戻るか、又は、他のステップを経てステップＳＴ−１に戻るものとする。
【００４０】
次に、図２のフローチャートを参照して、本発明の実施の形態のディスク記録再生装置の他の具体例を説明する。ステップＳＴ−１では  システムコントローラ１４が、毎日又は毎週同じ番組を記録するか否かを判断し、ＹＥＳのときはステップＳＴ−２に移行し、ＮＯのときはステップＳＴ−１に戻る。
【００４１】
ステップＳＴ−２では、システムコントローラ１４が、光ディスク１に番組を記録する領域が残存しているか否かを判断し、ＹＥＳのときはステップＳＴ−９に移行し、ＮＯであればステップＳＴ−３に移行する。
【００４２】
ステップＳＴ−３では、システムコントローラ１４の制御によって、光ディスク１に前に記録した番組を消去して良いか否かの問い合わせを、例えば、表示器１５を用いて、ユーザに知らせる（報知する）。ステップＳＴ−３の次はステップＳＴ−４に移行する。
【００４３】
ステップＳＴ−４では、ユーザのキーボード１６による、光ディスク１に前に記録した番組を消去して良いか否かの回答に基づいて、システムコントローラ１４が、光ディスク１に前に記録した番組を消去して良いか否かを判断し、ＹＥＳのときはステップＳＴ−１０に以降し、ＮＯのときはステップＳＴ−５に移行する。
【００４４】
ステップＳＴ−５では、システムコントローラ１４の制御に基づいて、古い光ディスク１に記録されたタイマ予約情報信号（制御信号も含む）をシステムコントローラ１４のメモリ（ＲＡＭ）に記憶した後、古い光ディスク１を外部に排出する。ステップＳＴ−５の次は、ステップＳＴ−６に移行する。
【００４５】
ステップＳＴ−６では、システムコントローラ１４の制御に基づいて、新たな光ディスク１をディスク記録再生装置に装填し、システムコントローラ１４のメモリ（ＲＡＭ）に記憶されているタイマ予約情報信号を、新たな光ディスク１のユーザズデータ記録領域（目次記録領域の一部に設けられている）に記録することを、例えば、表示器１５に表示してユーザに報知する。ステップＳＴ−６の  次は、ステップＳＴ−７に移行する。
【００４６】
ステップＳＴ−７では、システムコントローラ１４が、ユーザによる、たな光ディスク１のディスク記録再生装置に装填及びシステムコントローラ１４のメモリ（ＲＡＭ）に記憶されている古い光ディスク１に記憶されていたタイマ予約情報信号の、新たな光ディスク１のユーザズデータ記録領域への記録が完了したか否かを判断し、ＮＯのときはステップＳＴ−７に戻り、ＹＥＳのときはステップＳＴ−８に移行する。
【００４７】
ステップＳＴ−８では、システムコントローラ１４の制御の下に、番組を新たなディスクに記録する。ステップＳＴ−８の後は、他のステップを経て、又は、直接ステップＳＴ−２に戻る。
【００４８】
ステップＳＴ−２の判断でＹＥＳ、即ち、番組を記録する領域が残っているときは、ステップＳＴ−９に移行して、古い光ディスク１に番組を記録した後、ステップＳＴ−２に戻る。
【００４９】
ステップＳＴ−４の判断でＹＥＳ、即ち、前に古い光ディスク１に記録した番組を消去して良いと判断されたときは、ステップＳＴ−１０に移行して、前に光ディスク１に記録した最も古いを番組を消去する。ステップＳＴ−１の次は、他のステップの後、又は、直接ステップＳＴ−２に戻る。
【００５０】
尚、ディスクは磁気ディスク等の他の種類のディスクでも良い。複数のディスクを管理する記録再生装置の場合は、重複時は若い番号のものを優先させる。
【００５１】
【発明の効果】
本発明によれば、ディスク記録再生装置側に登録されたタイマ予約情報信号のタイマ予約情報と、ディスク側に記録されたタイマ予約情報信号のタイマ予約情報との間の関係を、ディスク側に記録されたタイマ予約情報信号のタイマ予約情報に主導権を持たせて調整することができる。
【００５２】
又、本発明によれば、従来例と同様に、光ディスクを単位としてタイマ予約を行うことができ、タイマ予約情報を多数記録することができ、タイマ予約情報の確認が容易となり、停電によるタイマ予約情報信号の再記録が不要となり、光ディスクにタイマ予約によって記録する情報信号を光ディスク毎に整理することができ、光ディスク装置が複数存在しても、タイマ予約による情報信号の記録は、光ディスク側で主導権をとることができ、これによって、光ディスクに記録された大事な情報信号を他の情報信号の重ね記録によって消去するおそれがない等の利点もある。
【００５６】
さらに本発明によれば、毎日又は毎週同じ番組を確実に記録することができる。
【図面の簡単な説明】
【図１】本発明の実施の形態のディスク記録再生装置のタイマ予約装置のシステムコントローラの動作及び機能を示すフローチャートである。
【図２】本発明の実施の形態のディスク記録再生装置のタイマ予約装置のシステムコントローラの動作及び機能を示すフローチャートである。
【図３】本発明の実施の形態のディスク記録再生装置のタイマ予約装置の回路を示すブロックである。
【符号の説明】
１  光ディスク、４  光学ヘッド、１４  システムコントローラ、１５表示器、１６  キーボード。
【図１】
0003982060.tif 000002
【図２】
0003982060.tif 000003
【図３】
0003982060.tif 000004